(57)【要約】【課題】ゴルフの打撃には、驚くべき衝撃がシャフトに加わる。本発明は、従来の電装化されたゴルフクラブシャフトは、シャフト内部の配線が動いたりシャフトの強度が弱くなったりして、耐久性に劣るというと言う重大な欠点があった。それらを改良したシャフト及びその製造方法を提供することを目的とする。【解決手段】モニタが、グリップ直ぐ前にあっても、配線をグリップ部かそれよりはより手前から出して外部に出し、または／および線を内部壁に貼り付けるか線をガス含有物体で保持することの組み合わせ手段をとる。【選択図】図１
2009131578.tif 000002
【特許請求の範囲】
【請求項１】
表示部を有するゴルフクラブシャフトにおいて、グリップの直ぐ近くに表示部を設け、クラブヘッドからの信号を伝える配線を該クラブのシャフトの中を通して、表示部に接続している構成をとり、シャフトの内部からグリップ部（途中も含む）まで遠まわしに配線し、そこからシャフト内部から外部に出し、外部を通して表示部に戻して接続されており、その外部をグリップ材料でカバーしたグリップ構成を有することを特徴とする耐久性に優れた電装化したゴルフクラブシャフト。
【請求項２】
表示部を有するゴルフクラブシャフトにおいて、グリップの直ぐ近くに表示部を設け、クラブヘッドからの信号を伝える配線を該クラブのシャフトの中を通して、表示部に接続した構成を有し、ヘッド部からシャフトの内部を通して、表示部に達する配線を設けてなる構成と、空洞のシャフトの配線を支える発泡体、または綿状体、またはパルプ状体で埋められている構成を有することを特徴とする耐久性に優れた電装化したゴルフクラブシャフト。
【請求項３】
請求項１及び２において、配線をシャフト内部を通し、配線を接着剤（両面テープを含む）でシャフト内部に貼りつけた構成を有することを特徴とする電装化したゴルフクラブシャフト。
【請求項４】
ゴルフクラブの配線をシャフト内部に貼り付けるに際し、線をカバーし、貼りつけ固定する接着剤をつけ、シャフト内に通し、少なくとも次の手段の一つを採ることを特徴とする電装化したゴルフクラブシャフトの製造方法。
（１）細長いゴム風船を入れて、膨らませ、配線が固着後、風船をすぼませること。
（２）シャフトのテーパーに合わせた棒を太い側から差し込み、配線が固着後、引き抜くこと。
（３）シャフトを、駆動装置で回転させ、ある程度以上配線が固着後、回転を止めること。
【請求項５】
グリップ部の直ぐ先に表示部を有する電装化ゴルフクラブにおいて、▲１▼ヘッドからシャフト内部に配線を通しグリップに至った後外部に出し表示部に至らせ、グリップカバーを有する構成を採るか，▲２▼電線をシャフト内壁に貼り付けた状態にするか、▲３▼シャフト内に発泡体またはその類似物が充填された状態の何れかの１つ以上を有する構成を採り、更にヘッド内の空間を発泡体またはこの類似物で充填された状態にした構成を採ることを特徴とする電装化したゴルフクラブシャフト。
【発明の詳細な説明】
【技術分野】
【０００１】本願発明は、電子式の表示部を含む、ゴルフクラブの電気を通すシャフト部、すなわち電装化したゴルフクラブシャフトとその製造方法に関する。
【背景技術】
【０００２】従来、ゴルフの打球に関する練習器には色々あるが、電磁気的なデバイスを用いて、打ち方の矯正や楽しみを増す仕掛けが組み込まれたゴルフクラブの提案が多い。これを実現化するには、そのクラブの「シャフト」にも電気的仕掛け（デバイス）が必要で、特に、強烈なスイングで、衝撃や、振動、遠心力、しなりなどの反復変形により、壊れたり、断線や、電池部の一時的非接触や急な雨による漏電が惹起され、計測データーが、表示されないなどの重大問題が起こりやすい。【０００３】ヘッド部のセンサーからの信号を伝えるのに▲１▼電線をシャフト部内部を通すことや（外部を通す例も公知）、▲２▼グリップ部に電池（バッテリー）を設けることや、▲３▼グリップ部近傍に表示部を設ける概念は既に公知である。下記特許文献１〜７には、いずれにもそれらが開示されている。しかし、実用化手段をとると、着想の略図（漫画レベル）の上記の事柄は、図に描けても、反復して「しなる」シャフト部に耐久性を持たせる事は容易ではない。【０００４】エヴァンス特許［特許文献１、２］や、ハモンド特許［特許文献３］には、シャフト部の詳細な配線図がない。パターではあるが、岩水特許［特許文献４］の図１には、配線と電池の絵が、点線で、描かれているが、この程度では、強いスウングで、断線や非接触が惹起するという重大な欠陥を有する。マーシュ特許［特許文献５］の図１もそれに似ている。渡部らの特許［特許文献６］には、グリップの先に表示部、グリップエンドには電池部とその蓋が、描かれている。鈴木特許［特許文献７：取り下げ］には、電源部は不明で作動しないと見られるが、表示部を、グリップエンドに設ける概念は示されている。【０００５】しかしながら、これら、公知の範囲では、耐久性、断線、非接触の発生と言う観点には、全くの発明・工夫が見られない。配線は、シャフトのなかでバタツキ、やがて切断するに至る重大欠点が伴う。電池も、単なる棒状懐中電灯（乾電池を後ろからバネで抑えている）の如き配置では、スイングで、非接触が、発生するという重大な欠点を有する。また、シャフトから、リード線（電線）を外に出すと、シャフトの強度や弾性率を上げるのに、炭素繊維や、ボロン繊維で、強化した部分に弱点が生じ、破壊伝播が、起きてしまうという、致命的な欠点を有する。更に、突然の雨で漏電も配慮しなければならない。【０００６】配線を外（表面）に通すと、大変見苦しいものになってしまう。表示部は、パイプ（筒）の外部なので、内外の連絡手段は避けられない。ここで言う「電送化シャフト」とは、ゴルフの練習用クラブ、または、仲間など非公式の楽しみのプレーの際に、電気的デバイス（配線やバッテリ部を含む）が含まれるクラブを前提として、その信号や電源を通すシャフトを指す。勿論、公式戦には認められていないと考えられる。【０００７】
【特許文献１】ＵＳＰ  ３，７９２，８６３  Ｆｉｇ．１（出願１９７２，３，３０  エヴァンス）
【特許文献２】ＵＳＰ  ３，８０６，１３１  Ｆｉｇ．１（出願  １９７２，３，２９  エヴァンス）
【特許文献３】ＵＳＰ  ３，９４５，６４６  Ｆｉｇ．１（出願  １９７４，１２，２３  ハモンド）
【特許文献４】特願平７−４８９５０  （出願  １９９５，１．３０  岩水）
【特許文献５】特開平１０−１１８２３８  図１（出願  １９９６，９．９  マーシュ）
【０００８】
【特許文献６】実開平４−９２２７３  図．１図．３（出願  １９９０，１２．２７  渡部ら）
【特許文献７】特開２０００−８４１３３  図．１（出願  １９９８，９．９  鈴木  取り下げ）
【発明の開示】
【発明が解決しようとする課題】
【０００９】
【００１０】本発明は、（下部の）クラブヘッドから、（上部の）グリップに至る配線のバタツキを防ぐ事、シャフトの強度を下げないこと、同時に余り重くしないこと、見苦しくしない事が、重要な課題であった。繰り返し強い衝撃に曝されるシャフトにおいては、耐久性、断線、非接触の発生の解決が、重要な課題であった。本発明は、これらの課題を解決する手段・構成を提供する事を、目的とする。他の目的は、後の説明の中で明らかになるであろう。
【課題を解決するための手段】
【００１１】本発明の内容を詳しく説明すると次の通りである。クラブヘッドから、伝わる電気信号を、見易いようにグリップより直ぐ先（ヘッド側）に表示部を配置した時、センサーからの情報（信号）はシャフト内部を通して、電線で伝えるが、モニタ部は、シャフトの外部にあるので、パイプより外に出さねばならないが、普通の技術者が、先ず考えるのは、モニター直ぐ近傍で穴を開けそこから線を外部に出す方法である。【００１２】しかし、モニター（表示部）直ぐ近傍で穴を開けると、シャフトの強度が、低下するという重大な欠陥があることを見出した。すなわち、グリップ直ぐ先（グリップ部よりもヘッド側）には、振りモーメントの中心に近いだけに（梃子の原理で支点に近いつまり中心に近いと高い応力が架かる）穴部から破壊伝播が起こり、シャフトが、弱くなる。【００１３】それを防ぐためにシャフトを太くしたり、強靭にするには素材を多く使うと重くなり、新たな欠陥が生じる。また、製造工程が複雑になる。コストも高くなる。【００１４】これらの新たな諸問題に関し、鋭意研究した結果、ついに本発明に到達した。本発明は、巧みな方法で、それを回避することに、成功したのである。線は、応力の集中するモニタ部では、内部から外に電線を直ぐに外には出さず、遠回りさせ、グリップ部（グリップでもヘッドより遠い側）から、外に出すのである。こうすることにより、大きな変形応力の発生するモニタ部での穴あけ加工が回避できたのである。外に出た線は、グリップを構成する素材（普通は、ゴム状物質が多い）で、覆われるので、問題が無い。【００１５】シャフトは、一般に、パイプが用いられ、昔は、木材、次いで金属パイプ、その後、炭素繊維使用複合素材パイプや、ボロン使用複合素材パイプなど、軽くて高い反発弾性を持つものが、使われ、我々の見かける範囲においては、圧倒的に中空の空洞のものが多い。【００１６】第１の発明の骨子は、表示部を有するゴルフクラブシャフトにおいて、グリップの直ぐ近くに表示部を設け、クラブヘッドからの信号を伝える配線を該クラブのシャフトの中を通して、表示部に接続している構成をとり、シャフトの内部からグリップ部（途中も含む）まで遠まわしに配線し、そこからシャフト内部から外部に出し、外部を通して表示部に戻して接続されており、その外部をグリップ材料でカバーしたグリップ構成を有することを特徴とする耐久性に優れた電装化したゴルフクラブシャフトである。【００１７】第２の発明の骨子は、表示部を有するゴルフクラブシャフトにおいて、グリップの直ぐ近くに表示部を設け、クラブヘッドからの信号を伝える配線を該クラブのシャフトの中を通して、表示部に接続した構成を有し、ヘッド部からシャフトの内部を通して、表示部に達する配線を設けてなる構成と、空洞のシャフトの配線を支える発泡体、または綿状体、またはパルプ状体で埋められている構成を有することを特徴とする耐久性に優れた電装化したゴルフクラブシャフトである。【００１８】第３の発明の骨子は、上記において、配線をシャフト内部を通し、配線を接着剤（片面、両面テープを共に含む）でシャフト内部に貼りつけた構成を有することを特徴とする電装化したゴルフクラブシャフトである。【００１９】第４の発明の骨子は、配線をシャフト内部に貼り付けるに際し、線をカバーし、貼りつけ固定する接着剤をつけ、シャフト内に通し、少なくとも次の手段の一つを採ることを特徴とする電装化したゴルフクラブシャフトの製造方法である。
（１）細長いゴム風船を入れて、膨らませ、配線が固着後、風船をすぼませること。
（２）シャフトのテーパーに合わせた棒を太い側から差し込み、配線が固着後、引き抜くこと。
（３）シャフトを、駆動装置で回転させ、ある程度以上配線が固着後、回転を止めること。【００２０】第１図は、シャフトの内、グリップ近傍を示した断面図であるが、電線（ケーブルとも言う）を、迂回させて応力が集中するのを避けた状態を例示している。普通なら表示部の真下から電線を表示部に出すところであるが、つまりシャフトの筒に孔を開ける（例：図１の８）のであるが、それを避け、少し材料費の増加になるが、そこ（８）には孔を開けず、遠回りをさせるのである。この巧みな新規思想により、応力集中部に孔を開けるのを避けることに成功した。【００２１】１はシャフト、２は表示部、３はケーブル（電線、線とも言う）、４はグリップ、５は電池ボックッス、６は電池、７は電池ボックス蓋、８は普通ならこの部分に孔を開けるであろう位置、９は電線をこの部分で迂回の折り返しても良いことを示している。本発明に含まれることを示している。【００２２】第２図は、梃子の原理の説明用の図であり、１３は、支点（グリップ部相当）、１５の部位（ヘッド部）でのたとえ小さな力（ヘッド部）でも、１４では、大きな力（グリップ近く）になることを示す図である。従って１４に、傷があると、そこが壊れ易いことを示している。【００２３】第３図は、クラブの全体を示した図であり、１０はヘッド部、１はシャフト、２は表示部、５は電池ボックスである。本発明の理解を助けるための図である。実施例の代わりに図を示したが、しかし、本図により、本発明の有効性が，限定解釈されるものではない。むしろ、更なる展開をもたらすものである。【００２４】第２の発明は、配線をパイプ内でバタつかせないように、シャフト内部を泡状物体を充填する方法である。シャフト内部に、発泡体を、設けることは、「山吹」の髄を、連想すれば、理解が容易であろう。つまり、把持力を有するもので、軽重量であれば、泡状・発砲体状に限らない。同じ効果を有するものであれば良い。本新規着想を知ってから後は、当業者なら選択可能である。他の具体例は、後に掲げる。【００２５】図４は、シャフトに発泡体が充填されていることを示す図で、１１はシャフト筒、１２は発泡体である。線（３）を筒壁に押し付けている。【００２６】第３の発明は、線をシャフト内に張りつけた電装化シャフトを示している。第２の発明と第３の発明と組み合わせてもよいし、いずれか一方でも良い。両方実施すれば、一層確実性が増す。【００２７】第４の発明は、第３の発明を達成する方法の例を示している。細い筒の中に線を張り付けることは、容易ではないからである。一般的に直ぐ貼り付けられる方法は、後で次第にはがれ易い。つまり、分離してしまい易い。【００２８】その一つは、両面でも、片面でも良いが、電線ケーブルと細長いゴム風船を入れて、膨らませ、配線が固着後、風船をすぼませることが良い。片面の時は、筒／線／粘着面／テープ／風船／筒の順となる。結果としては、線が筒内壁に、テープで覆った状態で固定される。両面の粘着テープの時は、筒壁／接着面／テープ／接着面／線となる。【００２９】他の方法は、シャフトのテーパーに合わせたテーパ付きの棒を太い側から差し込み、配線が固着後、引き抜くことであり、筒／線／粘着面／テープ／棒／筒の順となる。【００３０】更に他の方法は、シャフト内に接着性の材料と電線（ケーブル）とを、駆動装置で回転させ、ある程度以上配線が固着後、回転を止めることで達成できる。遠心力を利用する方法である。【００３１】時々、線をシャフトに通す方法が判らないとの指摘する人が居るが、別の硬い通す針金を先ず通し、それで、細い線を引っ掛けて、他端から引くことにより、容易に通すことができる。また、内部が複雑になっている時は、糸と空気を同時に流し込んで通し、糸で引っ張り抜くこともできる。【００３２】第５の発明の骨子は、グリップ部の直ぐ先に表示部を有する電装化ゴルフクラブにおいて、▲１▼ヘッドからシャフト内部に配線を通しグリップに至った後外部に出し表示部に至らせ、グリップカバーを有する構成を採るか，▲２▼電線をシャフト内壁に貼り付けた状態にするか、▲３▼シャフト内に発泡体またはその類似物が充填された状態の何れかの１つ以上を有する構成を採り、更にヘッド内の空間を発泡体またはこの類似物で充填された状態にした構成を採ることを特徴とする電装化したゴルフクラブシャフトである。【００３３】換言すれば、シャフトと全く同じ技術思想において、ヘッド部の空間を発泡体状物で、充填することにより、センサ類の故障、剥がれ、断線、破壊などを、充填物で埋めることであり（多い目に圧縮して詰めることが秘訣）、これにより、センサー類の破壊が軽減される事を知見した。
【発明の効果】
【００３４】１）応力の集中するシャフト部後半部に孔空け加工を避けるのに成功した。シャフトの致命的な強度低下がない。ここでの後半とは、ヘッドから遠い部位で、グリップより前を指している。
２）従来のシャフトが、そのまま、用いられる。補強が不要である。すなわち耐久性が高い。
３）配線がシャフト内で、バタつかない。すなわち耐久性が高い。
４）スイング時に、配線に、高い応力が加わらない。すなわち耐久性が高い。
【発明を実施するための最良の形態】
【００３５】第１図に示したような構造が特に好ましい。線は、電池ボックスの外部を通すことが、特に好ましい。表示部には、演算部を当然含んだものであっても差し支えないことは申すまでもない。
【実施例】
【００３６】以下の実施例により、本発明を更に詳細に説明する。しかし、本実施例により、本発明の有効性が，限定解釈されるものではない。むしろ、更なる展開をもたらすものである。
【実施例１】
【００３７】図１のように、１番ゴルフクラブ（ウッド）において、打撃位置が判定できる電気信号をクラブからグリップに直ぐ手先の表示部に、電線を（ＦＦＣケーブル）シャフト部を通して、更にグリップまで内部を通し、電池部から外部へ線を這わせ、表示部に接続した。外部に出た配線は、ゴムグリップで、しっかりと覆った。
【比較実施例】
【００３８】比較試験として、値段の関係でカーボンシャフトのみを２本準備し、一本には、表示部にドリルで孔（０．２Ｘ７ｍｍ）を開け、多は、無加工のまま、同時に曲げ試験を行った。結果として、穴のあるシャフトが先に破壊した。
【実施例２と比較試験】
【００３９】シャフトの中に、発泡スチロールを、詰め込んだ。配線を接着剤で固定しなくとも、線がバタつかないことが、確認できた。比較試験として、▲１▼線をグリップ部で、断線してクラブを強く５００回三日掛けて振った。▲２▼線を切れ易くして、約９割り方切断して同様に振って、スイングした。▲３▼▲２▼において、発泡スチロールを詰め込んだ。この結果、▲１▼は、線が下方にずれていた。▲２▼は断線していた。▲３▼は、まだ断線していなかった。
【変更可能な範囲】
【００４０】シャフト内部に、発泡体（泡状物体）としては、発泡ポリスチレン、発泡ポリウレタン、発泡ゴム状物、嵩高い綿、コルク、人工コルク、細長い風船（筒内部で膨らませたままにする）、合成ワタ、パルプ状物体、フィブリッド（ファイブリッド）、軽量充填材、これらは、スイングの強い遠心力のために、線の端部に、強い引っ張り力の発生を防ぎ、また電線のバタツキを食い止める効果がある。例えば、３種類の直径のコルクを準備し、テーパつきシャフトの太い側から、順次詰め込んで、配線ケ−ブルの３箇所を、等間隔になるように、固定した。これは、全てを埋め尽くすことではない例である。
【００４１】線は、筒に貼り付けた方が好ましい。と言うのは、線の端部に、強い引っ張り力の発生を防ぎ、また電線のバタツキを食い止める効果があるかからである。万が一、その接着が外れても、発泡体状物があると、強い引っ張り力の発生を防ぎ、また電線のバタツキを食い止める効果があるからである。線としては、ＦＰＣ（Ｆｌｅｘｉｂｌｅ  Ｐｒｉｎｔｅｄ  Ｃｉｒｃｕｉｔｓ）やフレキシブルフラットケーブルが好ましい。
【００４２】［発明の様々な様態の確認］
なお、本発明には、表現こそ既に掲げた請求項とは完全には一致しないが、実質的に次の各種の付加的事項を、発明の内容として、含むものである。
【００４３】Ａ．本発明は、ゴルフクラブのヘッド部からの打撃位置電気信号を伝えるシャフトに装備した時にも特徴を発揮する。
Ｂ．本発明は、ゴルフクラブのヘッド部からの打撃方向電気信号を伝えるシャフトに装備した時にも特徴を発揮する。
【００４４】Ｃ．本発明は、ゴルフクラブのヘッド部からの打撃速度電気信号を伝えるシャフトに装備した時にも特徴を発揮する。
Ｄ．本発明は、ゴルフクラブのヘッド部からの打撃せん断的回転電気信号を伝えるシャフトにも特徴を発揮する。
【００４５】Ｅ．本発明は、▲１▼ヘッドからシャフト内部に配線を通しグリップに至った後外部に出し表示部に至らせ、グリップカバーを有する構成を採るか，▲２▼電線をシャフト内壁に貼り付けた状態にするか、▲３▼シャフト内に発泡体またはその類似物が充填された状態の何れかの１つ以上を有する構成を採ったことの特徴の他に、ヘッド内の空間部を、発泡体または、その類似物で充填することにも特に有効である。ヘッド内の装備部品の故障を軽減する効果を発揮する。
【産業上の利用可能性】
【００４６】本発明は具体的には，電装化したゴルフクラブに対するシャフトに好適に使用できる。
【図面の簡単な説明】
【００４７】
【図１】は、本願発明によるシャフトのグリップ部と、ヘッドから電線でもたらされた情報を表示するモニター部が取り付けられた断面の図の１例である．
【図２】は、支点（グリップ相当）と応力（表示部とヘッド部）の関係を示す図である．
【図３】は、クラブ全体を把握するためのクラブの１例を示す図である。
【図４】はシャフトの筒と電線（ケーブル）と多孔体との関係を示す図である。
【符号の説明】
【００４８】１は、シャフトを示し、
２は、表示器、すなわち取付けたモニター部を示し、
３は、ケーブル、すなわち配線を示し、
４は、モニター部を通り過ぎＵターンしてきた電線の上を覆うグリップを示し、
５は、電池ボックス、すなわち電池用ケースを納める部位を示し、
【００４９】６は、電池（同時に収納部）を示し、
７は、電池ボックッスの蓋、兼シャフト末端を示す。
８は、孔を開けてはならない部位を示し、
９は、電線がこの辺りでＵターンをしても本発明の範囲内であることを示し、
１０は、ヘッド部を示す。
【００５０】１１は、シャフト筒を示し、
１２は、多孔体（含気体、発泡体）を示す。
【図１】
2009131578.tif 000003
【図２】
2009131578.tif 000004
【図３】
2009131578.tif 000005
【図４】
2009131578.tif 000006